(57)【要約】【課題】大容量記憶媒体を用いた録画再生装置において、録画されたコンテンツのコンテンツの録画・再生を制御すること【解決手段】大容量記憶媒体にＲＦＩＤタグを備え、録画再生装置または携帯端末などに備えたＲＦＩＤタグリーダー／ライターによってＲＦＩＤタグに記録された情報を読み取りあるいは書き込み、読み取った情報に従って大容量記憶媒体からの番組の再生を制御し、あるいは録画の為の予約情報などを書き込む。【選択図】        図１
2009266303.tif 000002
【特許請求の範囲】
【請求項１】
電波を用いてデータを記録又は読出しを行うタグを有した、着脱可能な記録媒体と、
前記記録媒体に番組データを録画し、または前記記録媒体に記録された番組データを再生する録画再生手段と、
前記タグと通信を行なう通信部と、
前記録画再生手段を制御する制御手段を有し、
前記制御手段は、前記通信部を介して取得した前記タグに記録されたデータを用いて前記番組データの記録又は／及び再生をするように前記記録再生手段を制御することを特徴とする記録再生装置。
【請求項２】
請求項１に記載の記録再生装置において、
録画予約手段を有し、
前記制御手段は、前記通信部を介して取得した前記タグに記録されたデータを用いて前記番組データの録画予約をするように前記録画予約手段を制御することを特徴とする記録再生装置。
【請求項３】
請求項１に記載の記録再生装置において、
ユーザにより情報が入力される入力手段と、をさらに備え、
前記タグに記録されたデータは、ユーザを特定するＩＤであって、
前記入力手段により入力された情報が、前記ＩＤと一致するときに、
前記制御手段は、前記録画再生手段が録画又は再生を行なうように制御することを特徴とする記録再生装置。
【請求項４】
請求項１に記載の記録再生装置において、
前記タグに記録されたデータは、コピー制御情報であって、
前記制御手段は、前記コピー制御情報を用いて前記録画再生手段の録画、再生を制御することを特徴とする記録再生装置。
【請求項５】
請求項１に記載の記録再生装置において、
前記タグは、ＲＦＩＤであることを特徴とする記録再生装置。
【請求項６】
記録再生装置に着脱可能な記録媒体において、
録画データを記録する録画データ部と、
電波を用いてデータを記録又は読出しを行うタグと、
前記タグに記録された情報を読み取る読み取り部と、
前記タグに記録されたデータに基づいて録画データ部へのアクセスを制御する制御部と、を有した記録媒体。
【発明の詳細な説明】
【技術分野】
【０００１】
本発明は、録画再生装置に係り、特に、着脱可能な記録媒体に録画した番組の管理及び記録媒体の録画、再生動作の制御に好適な記録再生装置、ＲＦＩＤタグ搭載記録媒体に関する。
【背景技術】
【０００２】
近年、テレビ放送の分野においては、従来のアナログ放送からデジタル放送に移行しつつある。
【０００３】
デジタル放送では、画像データを圧縮して送信する画像圧縮技術を用いており、デジタル放送の画像圧縮技術の事実上の標準として、ＭＰＥＧが広く普及している。
【０００４】
ＭＰＥＧを用いたデジタルテレビ放送では、映像および音声データ（ＡＶデータ）は符号化（エンコード）して処理される。エンコードされたＡＶデータは比較的に短い伝送単位（パケット）に時分割され多重されたトランスポートストリームとして、放送局から受信機まで伝送される。
【０００５】
受信機で受信されたトランスポートストリームは、デコーダによって復号（デコード）され、ＡＶデータとして表示画面・音声出力装置に出力される。
【０００６】
受信されたトランスポートストリームはデジタルデータであることから、ＨＤＤ（ハードディスクドライブ）等のデジタルデータ記録媒体に記録し、再生して、視聴することもできる。また、上記ＨＤＤなどの記録媒体は、着脱可能に構成することが出来るので、ＨＤＤを交換して複数用いることで大量の番組を録画することが可能になっている。
【０００７】
以下の特許文献１には、光記録媒体にＲＦＩＤタグとＬＥＤを埋め込むことで、複数の光記録媒体の中から、所望の番組を録画した光記録媒体を容易に検索する例が開示されている。
【０００８】
【特許文献１】特開２００６−１７９０４３号公報
【発明の開示】
【発明が解決しようとする課題】
【０００９】
特許文献１においては、光記録媒体にＲＦＩＤ（Ｒａｄｉｏ  Ｆｒｅｑｕｅｎｃｙ  Ｉｄｅｎｔｉｆｉｃａｔｉｏｎ）タグを備えることで検索性の向上を図っている。
【００１０】
しかしながら、特許文献１においては、デジタル放送に特有の特徴と録画及び再生機能を結びつけた使い勝手向上に関する思想は開示されていない。
【００１１】
本発明は、上記問題点に鑑みてなされたものであり、たとえば、デジタル放送を受信し、着脱式記録媒体に番組を録画し再生する録画再生装置とＲＦＩＤタグを組み合わせた際の、使い勝手を向上することができる録画再生装置を提供することにある。
【００１２】
尚、本願におけるＲＦＩＤとは、カード状又はタグ状等の媒体に、電波を用いてデータを記録又は読出しを行い、通信を行なうものである。
【課題を解決するための手段】
【００１３】
本発明では、たとえば、着脱式ＨＤＤ等の着脱式記録媒体にＲＦＩＤタグを備え、このＲＦＩＤタグに記録された情報を用いて録画再生動作を制御する。
【００１４】
具体的には、特許請求の範囲に記載された発明によって上記課題を解決できる。
【発明の効果】
【００１５】
本発明によれば、着脱式記録媒体に備えたＲＦＩＤタグに記録された情報を用いて、記録媒体の録画及び/又は再生動作を制御することができ、使い勝手を向上させた録画再生装置を提供することができる。
【発明を実施するための最良の形態】
【００１６】
以下、本発明に係る各実施形態を、図１乃至図９を用いて説明する。
【００１７】
〔実施形態１〕
以下、本発明に係る第一の実施形態を、図１乃至図４を用いて説明する。
【００１８】
先ず、図１を用いて本発明の第一の実施形態に係る録画再生装置の構成を説明する。
【００１９】
図１は、本発明の第一の実施形態に係る録画再生装置の構成を示すブロック図である。
【００２０】
本実施形態の録画再生装置は、デジタル放送を受信して、視聴と録画・再生をおこなう録画再生装置を説明する。また、画像圧縮技術の例としては、ＭＰＥＧ（Moving Picture Experts Group）標準によって符号化され多重化された信号を扱う場合について説明する
図１に示される入力端子１０より、トランスポートストリームが入力される。図１には示していないが、デジタル放送の場合、受信アンテナにより放送局から送出される電波を受信し、チューナで所望の信号を選局し、復調、誤り訂正等を行なってトランスポートストリームを再生する。本実施例で示すトランスポートストリームは、例えば図２に示すようなＴＳヘッダとペイロードで構成される１８８バイトのＴＳパケットを複数並べて構成される。パケットとパケットの間には無効なデータが含まれる場合もある。再生されたトランスポートストリームは、デマルチプレクサ２０に供給され、制御手段１２０によって指定された番組の符号化映像データ、符号化音声データ、及びその他のデータが抽出され、図３の例のような出力が得られる。
【００２１】
ここで、受信した放送をリアルタイムに視聴する場合は、デマルチプレクサ２０で抽出した符号化映像データと符号化音声データをデコーダ３０に供給する。デコーダ３０は入力された符号化映像データと符号化音声データを復号し、映像信号と音声信号を出力する。デコーダ３０で復号された映像信号は、グラフィック処理部４０に供給され、状況によってグラフィック画面が重畳されて出力される。グラフィック処理部４０の出力映像信号とデコーダ３０の出力音声信号は映像出力端子５０と音声出力端子６０から出力され、再生装置（図示せず）で再生される。これらの処理は入力端子１１０を経由して入力される図示しないリモコン等からの指示とメモリ（図示せず）に格納された制御プログラムによって動作する制御手段１２０によって制御される。
【００２２】
一方、リモコン等からの指示が入力端子１１０から制御手段１２０に入力され、この指示によって指定された番組を内蔵ＨＤＤ１００、あるいはソケット１４０を介して接続された着脱式ＨＤＤ１５０に録画する場合は、映像パケット、音声パケット、時間情報ＰＣＲのパケット（Program Clock Reference）、及び制御手段１２０によって指定された番組に関連するパケットだけをデマルチプレクサ２０によって抽出する。そして、再生時に参照するための新たに作成した、あるいは、予め用意されたパケットを多重して出力する。
【００２３】
録画再生制御部９０は、著作権保護のための暗号化等、録画に必要な処理をおこない、入力されたトランスポートストリームを番組データとして、内蔵ＨＤＤ１００、あるいは着脱式ＨＤＤ１５０に録画する。
【００２４】
尚、メモリ８０は、内蔵ＨＤＤ１００、あるいは着脱式ＨＤＤ１５０から読み出したデータを一時的に展開したり、制御情報を格納するものである。
【００２５】
録画した番組を再生して視聴する場合は、制御手段１２０からの制御によって、内蔵ＨＤＤ１００、あるいは着脱式ＨＤＤ１５０に録画されている番組データを録画再生制御部９０が読み出し、暗号復号などの処理をおこなった後、トランスポートストリームとして出力する。出力されたデータは、デマルチプレクサ２０に入力される。以降の動作は上記で説明したものと同様である。
【００２６】
次に、ソケット１４０を介して録画再生制御部９０と接続された着脱式ＨＤＤ１５０に番組を録画する際に、ＲＦＩＤタグリーダー／ライター(通信部)１６０によって、録画した番組に関連する情報を、着脱式ＨＤＤ１５０に備えたＲＦＩＤ１５１０に書き込む動作を説明する。
【００２７】
制御手段１２０は、録画再生制御部９０を制御してデジタル放送の番組を着脱式ＨＤＤ１５０に録画する際に、録画する番組の情報を受信したデジタル放送から取得し、番組名、録画日時、録画した番組の時間長等をＲＦＩＤタグリーダー／ライター１６０を介してＲＦＩＤタグ１５１０に書き込む。また、録画終了時に、録画可能な残り容量等の情報を書き込んでも良い。尚、言うまでも無いことであるが、ＲＦＩＤタグリーダー／ライター１６０は、ＲＦＩＤタグ１５１０に書き込む情報を無線信号で送出する。ＲＦＩＤタグ１５１０は、ＲＦＩＤタグリーダー／ライター１６０が出力した情報を受信し、図示しない内蔵メモリに記録する。
【００２８】
また、制御手段１２０は、録画した番組に関する情報を内蔵のＨＤＤ１００にも記録する。ここで、記録した情報は番組を録画した着脱式ＨＤＤ１５０を特定する為のＩＤ情報等と関連付けるものとする。これにより、着脱式ＨＤＤ１５０が図１に示す録画再生装置に接続されていない場合であっても、ＲＦＩＤタグ１５１０の内容を読み取ることによって、特定のＩＤ情報を有する着脱式ＨＤＤにどのような番組が録画されているかを知ることができる。
【００２９】
図４を用いて、着脱式ＨＤＤ１５０を図１に示す録画再生装置から外している場合に、着脱式ＨＤＤ１５０の内容を知る手順について説明する。図４において、３００は図１の録画再生装置を操作するためのＲＦＩＤタグリーダ／ライターを備えたリモコン、３１０は各種情報を表示するディスプレイである。ＲＦＩＤタグリーダ／ライターを備えたリモコン３００を操作することで、着脱式ＨＤＤ１５０に埋め込まれたＲＦＩＤタグ１５１０の内容を読み取り、あるいはリモコン３００で情報を入力し、内蔵されたＲＦＩＤタグリーダ／ライターで入力した情報をＲＦＩＤタグ１５１０に記録させることができる。
【００３０】
これにより、例えば、図１の録画再生装置に接続しなくとも着脱式ＨＤＤ１５０に録画されている番組のタイトル等の情報を知ることができる。また、リモコン３００で予約情報を入力し、ＲＦＩＤタグ１５１０に記録させることができる。埋め込まれたＲＦＩＤタグ１５１０に予約情報を記録した着脱式ＨＤＤ１５０を図１の録画再生装置に接続すると、制御手段１２０はＲＦＩＤタグリーダ／ライター部１６０によってＲＦＩＤタグ１５１０に記憶された内容を読み取る。これにより、前記で説明した操作によって、ＲＦＩＤタグ１５１０には予約情報が記録されていることが読み取れる。制御部１２０は、読み取った予約情報に基づいて録画予約設定を行う。これにより、簡易な操作で録画予約を行うことができる。
【００３１】
また、異なる使用方法として、着脱式ＨＤＤ１５０の再生を特定のユーザだけに制限するといった使い方ができる。この場合、例えばＲＦＩＤタグ１５１０には暗証番号などを記録しておく。制御手段１２０は、着脱式ＨＤＤ１５０がソケット１４０に接続されると、ＲＦＩＤタグリーダー／ライター１６０を制御してＲＦＩＤタグ１５１０の内容を読み取る。ここで、ＲＦＩＤタグ１５１０に暗証番号が設定されていると、制御手段１２０は、グラフィック手段４０を制御して、暗証番号の入力を促す画面を表示する。暗証番号入力画面が表示された場合、ユーザはリモコンによって暗証番号を入力する。入力された暗証番号がＲＦＩＤ１５１０に記録されている暗証番号と一致すれば、制御手段１２０は、着脱式ＨＤＤ１５０に録画された番組を再生することができるようにする。一方、正しい暗証番号が入力されない場合は、制御手段１２０は例えば、ユーザが再生操作を行っても、着脱式ＨＤＤ１５０へのアクセスを行わないものとする。これによって、着脱式ＨＤＤ１５０に録画した番組の視聴や録画を制限することが出来、ユーザが意図しない録画などを行わせないようにすることが出来る。尚、上記の例では録画と再生を一律に制限する例について説明したが、録画だけ、あるいは再生だけを個別に制限しても良い。
【００３２】
〔実施形態２〕
以下、本発明に係る第二の実施形態を、図５を用いて説明する。
【００３３】
図５の例が図１の例と異なるのは、内蔵のＨＤＤ１００ではなく、ＲＦＩＤタグ１８１０を備えた第２の着脱式ＨＤＤ１８０を接続できるように、ソケット１７０を備えた点である。
【００３４】
デジタル放送においては、ストリームデータにコピー制御情報を記述することで記録媒体へのコピーを制限することができる。すなわち、放送を録画した録画データを、他の記録媒体にコピーする回数や世代などの制限を行うことが出来る。
【００３５】
図５においては、着脱式ＨＤＤ１５０から着脱式ＨＤＤ１８０に録画データをコピーすると共に、着脱式ＨＤＤ１５０から録画データを消去した場合は、録画データを着脱式ＨＤＤ１５０から着脱式ＨＤＤ１８０に「移動」したことになる。この場合、一度も録画データを着脱式ＨＤＤ１５０から他の記録媒体にコピーすることなく着脱式ＨＤＤ１８０に「移動」したのであれば、録画データをコピーする「権利」も着脱式ＨＤＤ１８０に「移動」した録画データに移る。あるいは放送から直接着脱式ＨＤＤ１８０に番組を録画した場合も同じ結果となる。すなわち、録画データは、着脱式ＨＤＤ１８０から他の記録媒体にコピーする「権利」を有することになる。
【００３６】
図５の構成においては、ＲＦＩＤタグ１５１０に、着脱式ＨＤＤ１５０からのコピー、あるいは移動を許可／禁止する情報を記憶させることで、着脱式ＨＤＤ１５０からのコピーを制限することができる。
【００３７】
より具体的には、例えば着脱式ＨＤＤ１５０に番組を録画したユーザが、録画した番組を他の媒体にコピーあるいは移動されたくないため、ＲＦＩＤタグ１５１０に着脱式ＨＤＤ１５０に録画した番組を他の媒体にコピー、あるいは移動を禁止する情報を記録する操作をすると、ＲＦＩＤタグリーダー／ライター１６０を介して、制御手段１２０が着脱式ＨＤＤ１５０に録画した番組を他の媒体にコピー、あるいは移動を禁止する情報をＲＦＩＤタグ１５１０に記憶させる。これにより、後刻、他のユーザが、着脱式ＨＤＤ１５０から該録画データを着脱式１８０にコピーする操作をしてもコピーされないようにすることが出来る。これにより、着脱式ＨＤＤ１５０に録画した番組のコピーや移動を制限することが出来、番組を録画したユーザが知らない間に録画番組のコピー制限状態を変えられないようにすることが出来る。更に、制限情報を設定したユーザだけが制限を解除できるように、暗証番号やパスワード等を同時に記憶させてもよい。これにより、例えばＲＦＩＤタグリーダー／ライター１６０は暗証番号が設定されていることを読み取ることで、暗証番号の入力を促す処理を行い、正しく入力されない場合は状態を変更しないようにすることが出来る。
【００３８】
〔実施形態３〕
本発明に係る第三の実施形態を、図６を用いて説明する。
【００３９】
図６の録画再生装置において、１９０はインターネットなどの通信ネットワークに接続する為のネットワーク接続手段、２００はインターネットなどの通信ネットワークである。
【００４０】
図６の構成においては、外部からネットワーク２００に接続することで、着脱式ＨＤＤ１５０、着脱式ＨＤＤ１８０のＲＦＩＤタグ情報をネットワーク経由で操作することができる。すなわち、例えば、ネットワーク接続機能を有する携帯電話や携帯端末等からネットワーク２００を経由して図６の録画再生装置にアクセスすることができる。
【００４１】
図６のネットワーク接続手段１９０は外部からのアクセス要求を受け取ると、その内容を、バス１３０を介して制御手段１２０に転送する。制御手段１２０は転送されたアクセス要求の内容を解析する。制御手段１２０は、まずアクセスを要求して来た機器が、図６の録画再生装置に登録されていることを確認し認証を行う。認証によって正当なアクセスであると判断すると、アクセス内容の確認を行う。アクセス内容が、ＲＦＩＤタグ１５１０の内容転送要求であった場合は、ＲＦＩＤタグリーダー／ライター１６０を制御してＲＦＩＤタグ１５１０の情報を読み取り、読み取った情報をバス１３０を介してネットワーク接続手段１９０に転送する。ネットワーク接続手段１９０は転送された情報をネットワーク２００に送出する。これにより、ネットワーク２００を介して、アクセスを要求した携帯電話に要求された情報を送ることができる。
【００４２】
上記とは逆に、携帯電話などから、ネットワーク２００を介して転送された情報をＲＦＩＤタグ１５１０に記憶させることも出来る。この場合は、上記と同様にネットワーク接続手段１９０がネットワーク２００からアクセス要求を受けるとその内容をバス１３０を介して制御手段１２０に転送する。制御手段１２０は、前述の説明と同様に相手機器の認証を行った上で、転送されたアクセス内容を解析し、それがＲＦＩＤタグ１５１０への情報書き込み要求であった場合は、転送された情報をＲＦＩＤタグ１５１０に書き込む。
【００４３】
上記で説明した機能を利用することで、図６の着脱式ＨＤＤ１５０と１８０に対して個別に録画予約情報の設定等ができる。すなわち、着脱式ＨＤＤ１５０は映画やドラマの録画用、着脱式ＨＤＤ１８０はスポーツやドキュメンタリー番組録画用などと用途を決めて録画してある場合、複数の番組を録画し分けるような設定を簡単に行うことができる。
【００４４】
更に、以下のような使い方もできる。以下の説明はいわゆるレンタルビデオ店から映画などのコンテンツを借りて視聴する場合についてのものとする。
【００４５】
ユーザは、レンタルビデオ店から着脱式ＨＤＤ１５０を借りる。着脱式ＨＤＤ１５０には、例えば映画のシリーズ物が録画されているものとする。しかし、シリーズの最後の映画だけが見たいのであって、それ以外の映画の視聴意思が無いという場合がある。このような場合、着脱式ＨＤＤ１５０を貸し出すレンタルビデオ店はＲＦＩＤタグ１５１０に視聴可能な映画はシリーズの最後の映画だけであるという情報を記録して貸し出す。この着脱式ＨＤＤ１５０を図６の録画再生装置のソケット１４０に接続すると、録画再生制御部９０は着脱式ＨＤＤ１５０が接続されたことを検出し、それをバス１３０を介して制御手段１２０に通知する。あるいは、図示しない割込み信号によって制御手段１２０に通知しても良い。制御手段１２０は、着脱式ＨＤＤ１５０が接続されたことを検出すると、ＲＦＩＤタグリーダー／ライター１６０を制御して、着脱式ＨＤＤ１５０に備えられたＲＦＩＤタグ１５１０の内容を読み取る。ＲＦＩＤタグ１５１０には、前述のように録画されている映画コンテンツの特定のものだけが視聴可能である旨の情報が記憶されている。これにより、制御手段１２０は着脱式ＨＤＤ１５０に録画されている映画コンテンツのうち、指定されたものしか再生できないような制御を行う。より具体的には、例えば、ＨＤＤ１５０の録画内容を再生を許可されたものしか表示しないようにしても良いし、あるいは映画のタイトルを表示はするが、再生の為の選択操作を出来ないようにしても良い。これにより、レンタルビデオ店が指定した映画だけが視聴できる映画となる。
【００４６】
ここで、ユーザは、着脱式ＨＤＤ１５０を借りた時点では、最初に指定した映画だけ見るつもりであったが、借りた映画を見た後で、やはりシリーズの最初の方の映画を見たくなる場合が考えられる。このような場合、図６の構成を用いることで以下に説明するようにＲＦＩＤタグ１５１０の内容を書き換えて、借りた時点では視聴を制限されていた映画などを視聴可能とすることが出来る。
【００４７】
ユーザは、借りた時点では視聴を制限されていた映画コンテンツを視聴したい場合、図示しないリモコンからの操作により、ネットワーク２００を介して図示しないレンタルビデオ店のネットワークシステムにアクセスする。具体的には、制御手段１２０は、リモコンからコマンド等を受信すると、ネットワーク２００を介してレンタルビデオ店のネットワークシステムにアクセスするように、バス１３０を介してネットワーク接続手段１９０を制御する。ネットワーク接続手段１９０は、前記制御に従い、ネットワーク２００にコマンドやデータを送出する。レンタルビデオ店側のネットワークシステムは、これに応答してコマンドやデータを送出する。このようなコマンドやデータの交換によって、図６の録画再生装置とレンタルビデオ店のネットワークシステムとの間で通信が行われる。このような通信により、図６の録画再生装置は、ＨＤＤ１５０に録画されていて視聴制限されている特定の映画コンテンツの視聴許可を求めるデータをレンタルビデオ店のネットワークシステムに送出する。許可を求めるために送出するデータは、例えばＲＦＩＤタグ１５１０に記録されているデータであり、具体的には、レンタルビデオ店のコード、貸し出したＨＤＤ１５０を特定するコード、及び、ＨＤＤ１５０を借りたユーザであることを確認する為のＩＤ情報、及び追加で視聴したい映画に関するデータなどである。
【００４８】
レンタルビデオ店のネットワークシステムは、受信したデータをチェックし、アクセスしてきたユーザがＨＤＤ１５０を貸し出したユーザであることの認証などを行った上で、追加視聴の要求を許可する為のＲＦＩＤタグ１５１０の書換え用データを送出する。書き換え用データはネットワーク接続手段１９０で受信される。受信されたデータは、制御手段１２０によって、バス１３０を介しＲＦＩＤタグリーダー／ライター１６０に転送される。更に、制御手段１２０はＲＦＩＤタグリーダー／ライター１６０を制御して、転送したデータをＲＦＩＤタグ１５１０に書き込む。これによって、着脱式ＨＤＤ１５０に録画され、視聴が制限されていた映画コンテンツが視聴できるようになる。
【００４９】
上記の実施例では、ＲＦＩＤタグリーダー／ライターは録画再生装置に備えられている例について説明した。しかし、ＲＦＩＤタグリーダー／ライターは着脱式ＨＤＤ１５０に備えても良い。ＲＦＩＤタグリーダー／ライターを着脱式ＨＤＤ１５０に備えた場合の構成を図７に示す。図７において、１５２０はＨＤＤ制御部、１５３０はデータ記録部、１５４０は録画再生装置と接続するコネクタ、１５５０はＲＦＩＤタグリーダー／ライターである。図７の例に示す構成の着脱式ＨＤＤ１５０を録画再生装置に接続することによって、コネクタ１５４０を介してＨＤＤ制御部１５２０、データ記録部１５３０、ＲＦＩＤタグリーダー／ライター１５５０に電源が供給される。電源が供給されると、ＨＤＤ制御部１５２０はＲＦＩＤタグリーダー／ライター１５５０を制御して、ＲＦＩＤタグ１５１０の内容を読み取る。ここで、ＲＦＩＤタグ１５１０にはデータ記録部１５３０のうち、例えばアクセスが許可された領域に関するデータが記録してあるものとする。ＨＤＤ制御部１５２０はＲＦＩＤタグリーダー／ライター１５５０がＲＦＩＤタグ１５１０から読み取ったデータに基づいてデータ記録部１５３０からデータを読み出す。これにより、図７の着脱式ＨＤＤ１５０からはＲＦＩＤタグ１５１０に記録されたデータに従って特定の領域、すなわち特定のコンテンツしか再生できないようにすることができる。更に、前記で説明したように、図６のような構成によって、ネットワーク経由でＲＦＩＤタグ１５１０の内容を変更するためのデータを入手し、ＲＦＩＤタグ１５１０の内容を変更することによって、再生が制限されていた領域のデータを再生可能とすることができる。尚、前述の説明では、制御手段１２０が直接ＲＦＩＤタグリーダー／ライター１６０を制御してＲＦＩＤタグ１５１０の内容を書き換える例を説明した。これに対し、図７においては、制御手段１２０はＨＤＤ制御部１５２０を制御することによって、間接的にＲＦＩＤタグリーダー／ライター１５５０を制御する点が異なる。より具体的には、制御手段１２０はＨＤＤ１５０に特定のコマンドやデータを送る。前記特定のコマンド／データを受信すると、ＨＤＤ制御部１５２０は受信したコマンド／データに基づいてＲＦＩＤタグリーダー／ライター１５５０を制御する。これにより、ＲＦＩＤタグ１５１０の内容を書き換えることが出来る。上記で説明したように、図７に示すような構成を用いることで、録画再生装置の構成に依存せずにＲＦＩＤタグ１５１０の内容を書き換え、ＨＤＤのアクセス制限を行いまたは解除することができる。
【００５０】
上記と異なる例として、図８に示すように、ＲＦＩＤタグリーダー／ライターをネットワークにアクセス可能な端末装置、例えば携帯電話に備えても良い。
【００５１】
図８において、４００はＲＦＩＤタグリーダー／ライターを備え、ネットワークにアクセス可能な携帯電話である。
【００５２】
ネットワークにアクセスし、レンタルビデオ店のネットワークシステムからＲＦＩＤタグ１５１０に関する情報を取得し、ＲＦＩＤタグ１５１０の内容を書き換えるという一連の動作は前述の説明と同様であるが、ネットワークアクセス可能な携帯電話４００にＲＦＩＤタグリーダー／ライターを備えることによって、録画再生装置に依存せずにＲＦＩＤタグ１５１０の内容を書き換えることができ、汎用性のあるシステムを実現することができる。
【００５３】
尚、図８に示すようなＲＦＩＤタグリーダー／ライターを備えた携帯電話を用いるシステムにおいては、着脱式ＨＤＤ１５０の構成において、図９に示すように、ＲＦＩＤタグリーダー／ライター１５６０ではなく、読み取り機能のみを備えたＲＦＩＤタグリーダー１５６０を用いても良い。ＨＤＤ制御部１５２０はデータ記録部１５３０を制御する際に、ＲＦＩＤタグリーダ１５６０が読み取ったＲＦＩＤタグ１５１０の内容に従って制御を行う。これにより、前述の例と同様に、データ記録部１５３０のアクセス制限を行うことができる。また、前述で説明したようにＲＦＩＤタグ１５１０の内容書き換えは図６に示したようなＲＦＩＤタグリーダー／ライターを備えた携帯電話などの携帯端末から行う。これにより、録画再生装置に依存することなく着脱式ＨＤＤ１５０のアクセス制限を行い、また必要に応じてアクセス制限の内容を変更することができる。
【００５４】
尚、言うまでも無いことであるが、実施形態１、２及び３において説明した構成と動作を組み合わせてもよく、例えば、図８に示すような構成の着脱式ＨＤＤを用いた場合でも、実施形態２で説明したようなコピー制限を行うことができるのは言うまでも無い。
【図面の簡単な説明】
【００５５】
【図１】本発明の第一の実施形態に係る録画再生装置の構成を示すブロック図である。
【図２】トランスポートストリームを構成するパケットの構造を説明する図である。
【図３】図２で示したパケットによって構成されたトランスポートストリームの構造を説明する図である。
【図４】ＲＦＩＤタグを備えた着脱式ＨＤＤとＲＦＩＤタグリーダー／ライターを備えたリモコンとの通信の説明をする為の図である。
【図５】本発明の第二の実施形態に係る録画再生装置の構成を示すブロック図である。
【図６】本発明の第三の実施形態に係る録画再生装置の構成を示すブロック図である。
【図７】本発明の第三の実施形態に係る録画再生装置で用いる着脱式ＨＤＤの構成例を示すブロック図である。
【図８】本発明の第三の実施形態に係る録画再生装置で用いる着脱式ＨＤＤと携帯電話及びネットワークとの通信の説明をする為の図である。
【図９】本発明の第三の実施形態に係る録画再生装置で用いる着脱式ＨＤＤの構成例を示すブロック図である。
【符号の説明】
【００５６】
１０…入力端子 
２０…デマルチプレクサ
３０…デコーダ
４０…グラフィック処理部
５０…映像信号出力端子
６０…音声信号出力端子
７０…Ｉピクチャ抽出部
８０…メモリ
９０…録画再生制御部
１００…ＨＤＤ
１１０…コマンド入力端子
１２０…制御部
１３０…制御バス
１４０…ソケット
１５０…着脱式ＨＤＤ
１６０…ＲＦＩＤタグリーダー／ライター
１７０…ソケット
１８０…着脱式ＨＤＤ
１９０…ネットワーク接続手段
２００…ネットワーク
４００…携帯電話
１５１０…ＲＦＩＤタグ
１５２０…ＨＤＤ制御部
１５３０…データ記録部
１５４０…コネクタ
１５５０…ＲＦＩＤタグリーダー／ライター
１５７０…ＲＦＩＤタグリーダー
【図１】
2009266303.tif 000003
【図２】
2009266303.tif 000004
【図３】
2009266303.tif 000005
【図４】
2009266303.tif 000006
【図５】
2009266303.tif 000007
【図６】
2009266303.tif 000008
【図７】
2009266303.tif 000009
【図８】
2009266303.tif 000010
【図９】
2009266303.tif 000011